(57)【要約】  【課題】  誰でも簡単且つ迅速に電子カルテを記録できるようにする  【解決手段】  病院コンピュータには、電子カルテの作成において、ペン型の入力装置(例えば液晶ペンタブレット)を採用する。病院コンピュータには、予め、各種患部のスケッチ用雛型を登録しておく。医師は、患部図をスケッチする場合には、患部図シート２７の記入済み患部図表示エリア２７ａ、２７ｂ、又は患部図表示無しエリア２７ｃを２回ペンタッチし、記入済みの患部図或は上記スケッチ用雛型を下絵にして液晶ペンでスケッチを行なう。医師は、ＤＯ入力する場合には、診療行為シート２５の所望の表示欄を２回ペンタッチするか、或は、ＤＯ入力ボタン１３をペンタッチしてＤＯ入力シート１００を表示させ、ＤＯ入力シートに展開されている診療行為のチェックボックスをペンタッチして、ＤＯ入力を行なう。  【選択図】        図２
2004213678.tif 000002
【特許請求の範囲】
【請求項１】
記録されている、過去の診察に行なわれた診療行為を表示し、表示している診療行為から所望の診療行為が選択された場合には、前記選択された診療行為を今回診察の診療行為として記録することを特徴とし、前記選択は、表示画面上でのタッチ操作又はマウスによるクリック操作によって行なわれる電子カルテ記録装置。
【請求項２】
記録されている過去の診察日と、前記過去の各診察毎に前記診療行為を表示し、所望の前記診察日が選択された場合には、前記選択された診察日で行なわれた全ての診療行為を今回の診療行為として記録することを特徴とする請求項１記載の電子カルテ記録装置。
【請求項３】
前記選択が、特定の診療行為にされた場合には、前記特定の診療行為に係る全ての診療行為を今回の診療行為として記録することを特徴とする請求項１記載の電子カルテ記録装置。
【請求項４】
前記診療行為を一覧リストにして表示することを特徴とする請求項１又は２記載の電子カルテ記録装置。
【請求項５】
前記一覧リストには、前記過去の各診察日毎に、前記表示されている診療行為の実行の有無が展開されることを特徴とする請求項４記載の電子カルテ記録装置。
【請求項６】
患者の問診結果情報が記録されており、所見が記録される場合には、前記問診結果情報に基づいて所見情報を記録するためのテンプレートを作成し表示することを特徴とする請求項１記載の電子カルテ記録装置。
【請求項７】
記録されている、過去の診察に行なわれた診療行為を表示するステップと、前記表示している診療行為から、表示画面上でのタッチ操作又はマウスによるクリック操作によって選択された診療行為を、今回診察の診療行為として記録するステップとをコンピュータに実行させるためのプログラムを記録したコンピュータ読取可能な記録媒体。
【発明の詳細な説明】
【技術分野】
【０００１】
本発明は、電子カルテを記録するための技術に関する。
【背景技術】
【０００２】
多くの病院では、電子カルテで各患者のカルテ情報を管理する電子カルテシステムを導入している。各病院の各医師は、一般に、パソコン端末のキーボード又はマウスを使用して、電子カルテを記録する。電子カルテの作成では、患者の患部等をスケッチしたり前回診療行為(処方、処置、注射、検査等)と同一の行為を入力(以下、これをＤＯ入力という)したりするケースがしばしばある。
【発明の開示】
【発明が解決しようとする課題】
【０００３】
上記スケッチは、マウス操作により行う。そのため、特に細かいスケッチをする必要がある場合には、精密なマウス操作が要求され、スケッチに時間を費やしてしまうことがある。一方、ＤＯ入力は、それを行なうために、少なくとも前回診療行為を検索・表示するための操作、つまり複数回の操作を必要とする。また、ＤＯ入力は、表示画面をスクロールする等して所望の前回診療行為を探し、それをマウスでドラッグ＆ドロップ(又はコピー＆ペースト)して行なう。
【０００４】
上述した各操作は、医師にとって煩わしく、特に、コンピュータ操作が苦手な医師にとっては、電子カルテの作成は非常に面倒なものになってしまっている。そのため、各患者の診察では電子カルテの作成に時間が費やしされてしまうことがあり、それによって、診察時間が必要以上に長くなってしまうことがある。
【０００５】
従って、本発明の目的は、誰でも簡単且つ迅速に電子カルテを記録できるようにすることにある
【課題を解決するための手段】
【０００６】
本発明の第一の側面に従う電子カルテ記録装置は、ペン型入力装置と、人体の各種部位に関する患部の雛型とを備え、ユーザが患部のスケッチをする場合には、ユーザ所望の前記雛型を下絵にして、ペン型入力装置でスケッチさせることを特徴とする。
【０００７】
下絵としては、過去にスケッチされた患部図を採用することもできる。
【０００８】
本発明の第二の側面に従う電子カルテ記録装置は、記録されている、過去の診察に行なわれた診療行為を表示し、表示している診療行為から所望の診療行為が選択された場合には、選択された診療行為を今回診察の診療行為として記録することを特徴とする。上記選択は、表示画面上でのタッチ操作又はマウスによるクリック操作によって行なわれる。
【０００９】
好適な実施形態では、記録されている過去の診察日と、過去の各診察毎に診療行為とを表示し、所望の診察日が選択された場合には、選択された診察日で行なわれた全ての診療行為を今回の診療行為として記録する。
【００１０】
好適な実施形態では、選択が、特定の診療行為にされた場合には、特定の診療行為に係る全ての診療行為を今回の診療行為として記録する。
【００１１】
好適な実施形態では、記録している各診療行為を一覧リストにして表示する。その一覧リストには、過去の各診察日毎に、表示されている診療行為の実行の有無が展開される。
【発明を実施するための最良の形態】
【００１２】
本発明の一実施形態に係る、電子カルテの作成には、汎用型のコンピュータ、典型的には、パーソナルコンピュータ又はワークステーションを利用する(以下、電子カルテの作成に利用するコンピュータを「病院コンピュータ」という)。病院コンピュータは、カルテ情報の入力装置として、キーボードとマウスの他に、ペンタイプのもの、例えば、液晶ペンタブレット(以下、液晶ペン)を備え、電子カルテ作成の容易化及び効率化を支援する。病院コンピュータは、種々の医療関連データが格納される所定のデータベース(以下、病院データベース)にアクセスし、患者を診察する医師の指示に応じて、例えば次に示すような処理動作を行なう。
【００１３】
図１は、病院コンピュータが診察中に行なう処理動作の流れを示す。同図において、上記病院データベース１には、各患者の、カルテ関連の情報や、保険証情報や、紹介状情報等が格納されている。
【００１４】
病院コンピュータは、例えば診察待ち患者の一覧リストを表示し医師に診察する患者が指定されたら(ステップＳ１)、病院データベース１内を検索して、診察患者のカルテ情報関連ファイル３を取得し(Ｓ２)、後述のカルテメインページをディスプレイに表示する(Ｓ３)。その後、医師の操作に応じて、過去のカルテ情報を表示したり(Ｓ４)、上記患者の保険証ファイル５を取得して保険証情報を表示したり(Ｓ５)、医師のカルテ情報の入力により電子カルテの作成処理を行なったりする(Ｓ６)。その作成処理が終了したら、上記入力されたカルテ情報の内、特定の情報を紹介状作成用データとして上記患者の紹介状ファイル７に登録する(Ｓ７)。そして、今回入力された種々のカルテ情報を、カルテ情報関連ファイル３内の対応する各種ファイルにそれぞれ登録する(Ｓ８)。
【００１５】
上記カルテメインページとは、医師が病院コンピュータに上記ステップＳ４〜Ｓ６の処理を実行させるためのマンマシンインタフェース(ＭＭＩ)であり、医師は、そのページの特定の位置をマウスでクリック、或は液晶ペンでタッチ操作して、病院コンピュータに種々の処理を行わせる。
【００１６】
図２は、そのカルテメインページの一例を示す。
【００１７】
カルテメインページは、印刷実行ボタン８と、次患者表示ボタン９と、カルテ作成終了ボタン１１と、紹介状作成ボタン１２と、ＤＯ入力ボタン１３と、保険証ボタン１５と、画像ボタン１７と、傷病名シート１９と、患者基本情報シート２０と、来院履歴シート２１と、所見シート２３と、診療行為シート２５と、患部図シート２７とを備える。傷病名シート１９には、過去の傷病名、それの治療開始日や終了日、転帰情報がリストで展開される。来院履歴シート２１には、例えば傷病名シートに表示される傷病名毎(カルテ毎)に、来院履歴がリスト表示される。所見シート２３、診療行為シート２５、及び患部図シート２７には、現在治療中の(又は過去に治療した)病気に関する所見、診療行為、及び患部図がそれぞれ展開される。
【００１８】
以下、同図を参照し、病院コンピュータに対して医師が診察中に行なう操作と、その操作に応じて病院コンピュータに行なわれる処理について説明する。
【００１９】
医師は、現在治療中の(或は過去に治療した)カルテ情報を参照する場合には、来院履歴シート２１に表示される参照所望の履歴の行を液晶ペンですばやく２回タッチ(以下、２回ペンタッチ)、或はマウスでダブルクリックする。それにより、所見シート２３、診療行為シート２５、及び患部図シート２５のそれぞれには、上記履歴中のカルテ情報がそれぞれ展開される(図１のＳ４)。また、医師は、レントゲン写真等の過去の画像情報も参照する場合には、画像ボタン１７を液晶ペンで１回タッチ(以下、ペンタッチ)、或はマウスでクリックする。それにより、上記履歴中における種々の画像情報が表示される。また、医師は、患者の保険証情報を参照する場合には、保険証ボタン１５をペンタッチ(或は、マウスでクリック、以下同様)する。それにより、患者の保険証情報が表示される(図１のＳ５)。
【００２０】
医師は、このようにして、現在までのカルテ情報や保険証情報を参照して診察を行なっていき、随時に或は診察終了時に種々のカルテ情報を入力して電子カルテを作成する。入力するカルテ情報としては、例えば、傷病名、所見(既往症、原因、主要症状等)、患部図、診療行為(処置、処方、検査等)などがある。以下、これらを入力する場合の実施例を説明する。
【００２１】
まず、医師が傷病名を入力する場合の実施例を説明する。
【００２２】
傷病名を入力する場合には、医師は、カルテメインページ(図２参照)の傷病名シート１９のタイトルバー１９'を２回ペンタッチ(或は、マウスでダブルクリック、以下同様)して、次の図３に示すような傷病名入力シートをディスプレイに表示させる。
【００２３】
図３は、傷病名入力シートの一例を示す。
【００２４】
同図に示す傷病名入力シートには、部位シート２８と、方向シート２９と、接頭語シート３１と、傷病名名称シート３３と、接尾語シート３５と、傷病名入力結果シート３７とが表示される。医師は、各シート２８、２９、３１、３３、３５に予め表示される語句をペンタッチで選択して傷病名を入力するか、或は、傷病名入力結果シート３７に直接キーボードで入力する。
【００２５】
次に、医師が所見を入力する場合の実施例を説明する。
【００２６】
所見を入力する場合には、医師は、カルテメインページ(図２参照)の所見シート２３のタイトルバー２３'を２回ペンタッチする。病院コンピュータは、診察患者が初診か再診かを判断し、それに応じて初診用或は再診用の所見入力シートを表示する。
【００２７】
図４は、初診用所見入力シートを表示する場合の病院コンピュータの動作を示す。
【００２８】
病院コンピュータは、上記患者が初診であると判断した場合は、病院データベース１内を検索して上記患者の問診登録ファイル３９を読み込み(ステップＳ９)、それに今回治療の問診データがあるか否かを確認する(Ｓ１０)。問診データがあれば(Ｓ１０でＹｅｓ)、それに記録されているデータを参照してそれに応じた所見テンプレートを所見入力シート上に展開する。例えば、問診データに記録されている種々の患部名をそれぞれカウントし(Ｓ１１)、カウントした結果、１番多い患部名を今回治療の患部とする(Ｓ１２)。そして、各種所見テンプレートマスタ４１から、今回治療の患部に関する所見テンプレートを読み込み(Ｓ１３)、図５に示すような初診用所見入力シートに各所見テンプレートを展開する。
【００２９】
図５は、初診用所見入力シートの一例を示す。
【００３０】
同図に示す初診用所見入力シートには、患部プレート４３と、方向プレート４５と、数値入力パネル４７と、症状プレート４９と、症期プレート５１と、内容プレート５３と、コメント入力プレート５５と、所見入力結果プレート５７とが展開される。患部プレート４３には、上記今回治療の患部とされた患部名が表示され、症状プレート４９にはその患部に関する症状がリスト表示される。
【００３１】
医師は、このシート上の特定の箇所をペンタッチして、所見情報を入力する。病院コンピュータは、その所見情報を、病院データベース１内にある上記患者の所見登録ファイル４２に登録する(図４のＳ１５)。
【００３２】
病院コンピュータは、上記判断において、上記患者が再診であると判断した場合には以下の動作を行なう。
【００３３】
図６は、再診用所見入力シートを表示する場合の病院コンピュータの動作を示す。
【００３４】
病院コンピュータは、上記所見登録ファイル４２から、上記患者の初診からの所見データを１件ずつ読み込み(Ｓ１６)、過去に入力された各種症状が治癒しているか否かを確認する(Ｓ１８)。治癒していない症状があれば(Ｓ１８でＮｏ)、再診用所見入力シートと共にその症状を展開したテンプレートを展開する。
【００３５】
図７は、再診用所見入力シートの一例を示す。
【００３６】
このシートには、上記治癒していない症状とその経過とコメントがリストで展開される症状リストプレート５９が展開される。医師は、例えば、「耳鳴り」の経過を入力する場合は、その経過が展開される箇所６０をペンタッチして経過入力ボックス６１を表示させ、該当する経過のラジオボタンをペンタッチしてチェックする。
【００３７】
病院コンピュータは、このようにして再診における所見が入力されたら、その所見情報を上記所見登録ファイル４２に登録する(図６のＳ２０)。尚、ステップＳ１６において、読み込む所見データが無い場合には(Ｓ１７でＮｏ)、上述した初診用所見シートを表示する(Ｓ２１)。
【００３８】
以上が、医師が所見を入力する場合の実施例である。この実施例によれば、来院受付時或は診察中に、患者に問診してその結果を病院データベース１に登録しておけば、再診患者の所見を入力する場合に、その問診結果に基づいて所見入力シートが作成されて表示されるので、所見入力が簡単になる。尚、この実施例において、初診患者に対する問診結果を登録しておき、その問診結果に基づいて上記初診用所見入力シートを展開するようにしてもよい。
【００３９】
次に、医師が患部図を入力(スケッチ)する場合の実施例を説明する。
【００４０】
この実施例では、耳、目、胃、肝臓など人間のあらゆる部位に関する患部スケッチ用雛型(以下、雛型)が１又は複数登録されている。医師は、患部図を入力する場合、カルテメインページ(図２参照)の患部図シート２７上の所望箇所を液晶ペンで２回タッチする。医師は、記入済みの患部図をベースにスケッチする場合には、記入済み患部図表示エリア２７ａ又は２７ｂを２回タッチし、上記雛型をベースにスケッチする場合には、患部図表示無しエリア(例えばエリア２７ｃ)を２回ペンタッチする。病院コンピュータは、以下の処理動作を行なう。
【００４１】
図８は、患部図が入力される場合の病院コンピュータの処理動作を示す。
【００４２】
病院コンピュータは、患部図シート２７上で上記２回タッチされた場所を識別し(ステップＳ２２)、その場所が、記入済み患部図表示エリア２７ａ、２７ｂであるか否かを判断する(Ｓ２３)。上記場所が記入済み患部図表示エリア２７ａ、２７ｂである場合には(Ｓ２３でＹｅｓ)、選択された記入済み患部図を下絵として後述の患部図記入シートに展開しそれを表示する(Ｓ２４)。上記場所が患部図表示無しエリア２７ｃである場合には(Ｓ２３でＮｏ)、上記雛型が登録されている患部図マスタ６３から診療科目に属する部位に関する雛型を取得し(Ｓ２５)、取得した雛型の一覧リストを作成して(Ｓ２６)、それを表示する(Ｓ２７)。
【００４３】
図９は、雛型一覧リストの一例を示す。
【００４４】
例えば、耳に関する診察では、このリストには、右耳雛型７７、左耳雛型７９、・・・など、耳の診察で利用され得る雛型が展開される。医師は、このリストに展開されている所望の雛型を選択し、それをペンタッチする。病院コンピュータは、ペンタッチされた雛型を下絵にして上記後述の患部図記入シートに展開しそれを表示する(図８のステップＳ２８)。
【００４５】
図１０は、上記患部図記入シートの一例を示す。
【００４６】
このシートには、スケッチエリア６５と、ペン太さ設定ボックス６７と、ペン色設定ボックス６９と、消しゴム設定ボックス７１と、再表示ボタン７３と、終了ボタン７５とが展開される。ここでいう「消しゴム」とは、勿論、一般のお絵描き用アプリケーションソフト(例えばペイント)にあるような「消しゴム」のことである。
【００４７】
スケッチエリア６５には、上記下絵とされた記入済み患部図又は雛型が展開される。医師は、ペン太さ設定ボックス６７のドロップダウンボタン(下向黒三角のボタン)、或はペン色設定ボックス６９のドロップダウンボタンをペンタッチして、線の太さや色を設定し、上記記入済み患部図又は雛型をベースに、液晶ペンでスケッチしたりコメントを書込んだりする。また、消しゴム設定ボックス７１のドロップダウンボタンをペンタッチして、消しゴムの大きさを設定し、液晶ペンで不要になった箇所を消したりもする。スケッチをやり直す場合には、再表示ボタン７３をペンタッチして、初めに表示された下絵に戻す。スケッチが終わったら、終了ボタン７５をペンタッチする。
【００４８】
病院コンピュータは、終了ボタン７５がペンタッチされたら(図８のステップＳ２９)、上記下絵は雛型一覧リストから選択された雛型であるか否かを確認し(Ｓ３０)、上記下絵が雛型である場合には(Ｓ３０でＹｅｓ)、スケッチ後の患部図及び現在診察の日付を、患部図シート２７(図２参照)の患部図表示無しエリア２７ｃに展開する(Ｓ３１)。上記下絵が記入済み患部図である場合には(Ｓ３０でＮｏ)、新規登録であるか否かを判断し(Ｓ３２)、新規登録であれば(Ｓ３２でＹｅｓ)、ステップＳ３１を行い、新規登録でない場合、例えば、記入済み患部図の修正である場合には(Ｓ３２でＮｏ)、スケッチ後の患部図を患部図シート２７の元の場所に展開する(Ｓ３３)。そして、スケッチ後の患部図を、例えばビットマップ形式で上記カルテ情報関連ファイル３に登録する(Ｓ３４)。
【００４９】
以上が、医師が患部図を入力(スケッチ)する場合の実施例である。この実施例によれば、医師は、ペン型の入力装置(液晶ペン)で患部のスケッチを行なえるので、紙カルテのときと略同様の感覚でスケッチでき、細かいスケッチやコメント入力も簡単に行なうことができる。また、この実施例によれば、医師は、過去のスケッチをベースに今回診察のスケッチをしそれを登録することができる。これにより、患部が治癒していく経過をスケッチで簡単に表すことができる。また、この実施形態によれば、予め、各種部位に関する患部スケッチ用雛型が１又は複数登録されており、スケッチに雛型を利用する場合には、今回診察における部位に関する雛型が一覧形式で展開される。医師は、所望の雛型を選択してそれを下絵にスケッチする。これにより、医師は、患部を描く作業を省略し、必要なことだけをスケッチすれば良いので、スケッチを迅速に行なうことができる。
【００５０】
尚、この実施例では、医師は、上記記入済み患部図や上記雛型を利用せず、自由にスケッチできるようにしてもよい。また、その自由にスケッチしたものは、上記雛型として登録できるようにしてもよい。
【００５１】
次に、医師が診察行為を入力する場合の実施例を説明する。
【００５２】
診療行為を入力する場合には、医師は、カルテメインページ(図２参照)の診療行為シート２５のタイトルバー２５'を２回ペンタッチする。病院コンピュータは、以下の処理動作を行なう。
【００５３】
図１１は、診療行為を入力する場合の病院コンピュータの動作を示す。
【００５４】
同図において、病院データベース１は、各種診療行為に関連する情報が格納されている診療行為関連マスタ８１を備えるものとする。診療行為関連マスタ８１は、手技マスタ、手技区分マスタ、単位マスタ、検査項目マスタ、用法マスタ、部位マスタ、など、各種診療行為のマスタファイルを備える。
【００５５】
病院コンピュータは、上記２回ペンタッチされたら、診療行為関連マスタ８１から診療行為入力シートを表示するための情報を取得し(ステップＳ３５)、診療行為入力シートを表示する(Ｓ３６)。
【００５６】
図１２は、診療行為入力シートの一例を示す。
【００５７】
診療行為シート８３には、例えば、処置入力カード８５と、セット処置入力カード８７と、手術入力カード８９と、注射入力カード９１と、セット注射入力カード９３と、処方入力カード９５と、セット処方入力カード９７と、院内検査入力カード９９と、院外検査入力カード１０１と、撮影入力カード１０３と、終了ボタン１０５とが展開される。同図では、処置入力シート８５が展開されている。医師は、所望の入力カード８５〜１０３のタブをペンタッチし、展開されている入力カードを切り替えて各種診療行為を入力し、入力を終える場合には、終了ボタン１０５をペンタッチする。
【００５８】
病院コンピュータは、上記ペンタッチされたタブの入力カードを展開し(図１１のＳ３７)、終了ボタン１０５がペンタッチされたら(Ｓ３８でＹｅｓ)、入力された各種診療情報を上記カルテ情報関連ファイル３に登録する(Ｓ３９)。
【００５９】
ところで、医師は、診療行為を入力する場合、ＤＯ入力を行なうことがしばしばある。ＤＯ入力とは、上述したように、前回診療行為と同一の行為を今回の診療行為として入力することである。医師は、カルテメインページ(図２参照)において、診療行為シート２５の特定の箇所を２回ペンタッチするか、或は、ＤＯ入力ボタン１３をペンタッチして後述のＤＯ入力シートを表示させそれを参照してＤＯ入力を行なうことができる。以下、前者を第１のＤＯ入力方法、後者を第２のＤＯ入力方法とし、それぞれのＤＯ入力方法について説明する。
【００６０】
まず、図１３及び図１４を参照して、第１のＤＯ入力方法について説明する。
【００６１】
図１３は、診療行為シート２５の構成を詳細に示し、図１４は、診療行為シート２５の構成概念である。
【００６２】
診療行為シート２５には、例えば上から順に、今回診察から初診までの診療行為が診察日毎に時系列的に展開される(同図においては、今回診察日「Ｈ１０．０８．１４」が最上段に展開される)。診療行為シート２５の構成概念としては、大分類、中分類、小分類の３分類に別れていて、それぞれ下位の分類を包括するように階層的な構成となっている。図１３の診察日Ｈ１０．０８．１１における診療行為で言えば、大分類は、その日の診療行為の全ての内容を包括し、中分類は、耳管処置(片側)、ネブライザー、筋肉注射の各用法等における診療行為のそれぞれ全てを包括し、小分類は、その各用法等における診療行為の各々を指す。医師は、これら大分類、中分類、小分類のそれぞれの単位でＤＯ入力を行なう。
【００６３】
例えば、医師は、今回の診察で、前回診察(Ｈ１０．０８．１１の診察)の診療行為における「耳管処置(片側)」の全ての診療行為１０７と、「ネブライザー」の「ピグリン注射液２００ｍｇ０．０５瓶」１０９を今回の診療行為としてＤＯ入力するとする。この場合、医師は、「耳管処置(片側)」の表示欄１１１、及び「ピグリン注射液２００ｍｇ０．０５瓶」の表示欄１１３をペンタッチする。これにより、診療行為シート２５には、図１５に示すように、今回診察日の診療行為として、前回診察における「耳管処置(片側)」の全ての診療行為と、「ネブライザー」の「ピグリン注射液２００ｍｇ０．０５瓶」が展開される。
【００６４】
この第１のＤＯ入力方法によれば、医師は、既に表示されている各診療行為に対し、所望の診療行為の欄を２回ペンタッチするだけで、すなわち、一度の操作でＤＯ入力することができる。また、複数の診療行為をＤＯ入力する場合、例えば前回診察日の診療行為の全てを入力する場合には、診療行為シート２５の日付欄を２回ペンタッチするだけでその前回診察日の診療行為の全てをＤＯ入力できる。そのため、マウスによるドラッグアンドドロップの必要がなくなり、簡単に複数の診療行為をＤＯ入力することができる。
【００６５】
次に、上記第２のＤＯ入力方法について説明する。
【００６６】
ＤＯ入力ボタン１３がペンタッチされたら、病院コンピュータは、上記ＤＯ入力シート表示する。
【００６７】
図１６は、上記ＤＯ入力シートの一例を示す。
【００６８】
ＤＯ入力シート１００には、診療行為欄１１５と日付欄１１７とＤＯ入力欄１１９とで構成される一覧リストと、終了１２３が展開される。診療行為欄１１５には、初診から当日診察までのそれぞれの診療行為が、例えば上記中分類単位で全て展開される。日付欄１１７には、例えば左から順に、初診から当日診察の日付が時系列的に展開される(同図においては、初診診察日「Ｈ１０．８．７」が一番左に展開される)。ＤＯ入力欄１１９には、過去の或は当日の診察において、診療行為欄１１５に展開される診療行為の実施の有無が展開される。例えば、過去の診察で、実施された診療行為に対しては●印がされ、実施されなかった診療行為に対しては空欄である。また、当日の診察で、既に実施された診療行為に対しては◎印がされ、まだ実施されていない診療行為に対してはチェックボックス１２１ａ、１２１ｂが展開される。今回の診察で、チェックボックス１２１ａ、１２１ｂの診療行為が行なわれる場合には、チェックボックス１２１ａ、１２１ｂはペンタッチされる。
【００６９】
病院コンピュータは、ＤＯ入力シート１００を、図１７に示す動作により作成する。図１７を参照してその動作を説明する。
【００７０】
病院コンピュータは、まず、当日診察の日付をＤＯ入力シート１００の日付欄１１７に展開し(ステップＳ４０)、診療行為シート２５(図１３参照)から診察日付を取得して(Ｓ４１)、当日診察から初診までの診療行為の全てを診療行為欄１１５に展開したかを確認する(Ｓ４２)。展開していなければ(Ｓ４２でＮｏ)、初診で行われた診療行為を展開し、ステップＳ４１で取得した診察日付を日付欄１１７に展開する(Ｓ４３)。次に、各診察日毎に、過去の診療行為を順に取得して(Ｓ４４)、取得した診療行為を診療行為欄１１５に展開したかを確認し(Ｓ４５)、展開していなければ、取得した診療行為が診療行為欄１１５に既に展開されている診療行為であるかを確認する(Ｓ４６)。上記取得した診療行為が既に展開されている診療行為であれば(Ｓ４６でＹｅｓ)、実施された診療行為であるとしてＤＯ入力欄１１９の該当箇所に●印を展開し(Ｓ４７)、そうでなければ(Ｓ４６でＮｏ)、上記取得した診療行為を診療行為欄１１５に展開して(Ｓ４８)、ＤＯ入力欄１１９の該当箇所に●印を展開する(Ｓ４９)。次に、当日診察において、展開されている診療行為が既に実施されているかを確認し(Ｓ５０)、実施されていれば(Ｓ５０でＹｅｓ)、ＤＯ入力欄１１９の該当箇所に◎印を展開し(Ｓ５１)、実施されていれば(Ｓ５０でＹｅｓ)、実施されていない診療行為に対しチェックボックス１２１ａ、１２１ｂを展開する(Ｓ５２)。
【００７１】
医師は、ＤＯ入力シート１００を参照し、ＤＯ入力対象である診療行為のチェックボックス１２１ａ、１２１ｂをペンタッチしてＤＯ入力し、ＤＯ入力したら終了ボタン１２３(図１６参照)をペンタッチする。それがされたら、病院コンピュータは、上記ペンタッチされたチェックボックスの診療行為、及び上記◎印を展開した診療行為を、当日診察の診療行為として、上記診療行為シート２５に展開する。尚、医師は、日付欄１１７に表示されている所望の診察日を２回ペンタッチして、その診察日に行なわれた全ての診療行為をＤＯ入力することもできる。
【００７２】
この第２のＤＯ入力方法によれば、過去の各種診療行為の全てと、初診から当日診察までの各診察日における各種診療行為の実施の有無が、一覧で表示される。これにより、医師は、各診察日において行なわれた診療行為を一目で把握することができるので、所望の診療行為を簡単に見つけてＤＯ入力することができる。また、上記第１のＤＯ入力方法と同様に、このＤＯ入力方法でも、１回のペンタッチ操作で複数の診療行為をＤＯ入力することができる。
【００７３】
以上、電子カルテ作成でのカルテ情報入力におけるいくつかの実施例を説明した。医師は、各実施例において、図２に示したカルテメインページの表示画面の紹介状ボタン１２をペンタッチすれば、紹介状を作成することができる。以下、医師が、病院コンピュータを利用して紹介状を作成する場合の実施例を説明する。
【００７４】
図１８は、紹介状が作成される場合の病院コンピュータの一連動作の概略を示す。
【００７５】
医師が上記紹介状ボタン１２をペンタッチしたら、病院コンピュータは、まず、紹介先医療機関を選択させ(ステップＳ５３)、後述の紹介状作成ページを表示する(Ｓ５４)。そして、医師に、紹介状作成に必要な情報(以下、紹介状情報)を入力させ(Ｓ５５)、それをステップＳ５３で選択された医療機関に送信する(Ｓ５６)。
【００７６】
図１９は、紹介状作成ページの一例を示す。
【００７７】
このページは、紹介状イメージ１５１と、入力指示ボタン群表示シート１５３とで構成される。このページの表示画面において、医師は、入力ボタン群表示シート１５３上の所望の種類の入力指示ボタンをペンタッチして、種々の紹介状情報(例えば同図に示す、[紹介目的]、[紹介事由]、[主訴・病名・現病歴]、[嗜好・アレルギー]、・・・等)を入力する。
【００７８】
例えば、[紹介目的]を入力する場合には、医師は、同図に示す紹介目的入力ボタン１５５をペンタッチするか、或は、紹介状イメージ１５１に展開されている項目[紹介目的]を２回ペンタッチして、図２０に示す紹介目的入力シート１５７を表示させる。医師は、このシート１５７にキーボードで紹介目的を入力する。この場合において、医師は、テンプレート使用ボタン１６１をペンタッチしてテンプレート選択シート１５９を表示させ、これに表示される紹介状入力テンプレート(文章)群から所望のテンプレートを選択して紹介目的を入力することもできる。
【００７９】
以下、上述した各ステップＳ５３〜Ｓ５６のそれぞれで病院コンピュータが行う処理動作を詳細に説明する。
【００８０】
まず、図２１を参照して、ステップＳ５３の紹介先医療機関選択で病院コンピュータが行う処理動作を説明する。
【００８１】
病院コンピュータは、病院データベース１にアクセスして、紹介先医療機関に関連する種々の情報(医療機関名、住所、科目名、院長名、電子メールアドレス、Ｆａｘ番号など)を取得し、医療機関選択一覧リストを作成し(ステップＳ５７)、それを表示する(Ｓ５８)。そして、医師に今回の紹介先が上記一覧リストに含まれているか否かを確認させ(Ｓ５９)、含まれていれば(Ｓ５９でＹｅｓ)、上記一覧リストから所望の紹介先医療機関が選択させて(Ｓ６０)、このステップＳ５３における処理を終了して次の上記ステップＳ５４の処理を実行する。含まれていなければ(Ｓ５９でＮｏ)、紹介先医療機関の情報を入力させ(Ｓ６１)、それを病院データベース１に登録して(Ｓ６２)、この紹介先医療機関選択における処理を終了し、次の紹介状作成ページ表示(上記ステップＳ５４)の処理を実行する。
【００８２】
次に、図２２を参照して、ステップＳ５４の紹介状作成ページ表示で病院コンピュータが行う処理動作を説明する。
【００８３】
病院コンピュータは、病院データベース１にアクセスし、該当する患者及び該当する紹介先医療機関の情報(患者氏名、紹介先機関名称、医師名など)を取得し(ステップＳ６３)、それを上記紹介状イメージ１５１(図１９参照)に設定して(Ｓ６４)、予めカルテ情報を読み込むか否かを医師に選択させる(Ｓ６５)。予めカルテ情報を読み込むが選択された場合は(Ｓ６５でＹｅｓ)、病院データベース１にアクセスし、上記該当患者の診療情報(主訴、病名、現病歴、嗜好、アレルギー、検査所見、治療経過、現在の処方など)を取得し(Ｓ６６)、それを紹介状イメージ１５１に設定する(Ｓ６７)。そして、上記各種類の情報を設定した紹介状イメージ１５１を表示し(Ｓ６８)、この紹介状作成ページ表示における処理を終了して、次の紹介状情報入力(上記ステップＳ５５)の処理を実行する。
【００８４】
次に、図２３を参照して、ステップＳ５５の紹介状情報入力で病院コンピュータが行う処理動作を説明する。
【００８５】
病院コンピュータは、入力する項目(上記[紹介目的]、[紹介事由]など)が選択されたら(ステップＳ６９)、選択された項目に関する情報は入力済みか否かを確認する(Ｓ７０)。入力済みであれば(Ｓ７０でＹｅｓ)、入力されている内容を、上記選択された項目の文章入力用シート(例えば、上記紹介目的入力用シート１５７)に設定し(Ｓ７１)、それを表示する(Ｓ７２)。そして、医師に上記項目の文章編集を行なわせ(Ｓ７３)、その項目の編集を終了するか否か(Ｓ７４)、終了するのであれば(Ｓ７４でＹｅｓ)、紹介状情報入力を終了するか否かを確認する(Ｓ７５)。
【００８６】
図２４は、ステップＳ７３の文章編集における処理動作の一例を詳細に示す。
【００８７】
病院コンピュータは、上記選択された項目の文章入力用シートを表示し入力待ちの状態において(ステップＳ７６)、文章編集を終了するか否かを医師に確認する(Ｓ７７)。
【００８８】
終了しないのであれば(Ｓ７７でＮｏ)、医師に登録されているカルテ情報(例えば上記診療情報)を読み込むか否かを選択させ(Ｓ７８)、読み込むが選択された場合は(Ｓ７８でＹｅｓ)、カルテ情報の読み込みが可能か否かを確認して(Ｓ７９)、可能であれば(Ｓ７９でＹｅｓ)、該当する診療情報を病院データベース１から取得し(Ｓ８０)、それを文章入力用シートに設定する(Ｓ８１)。ステップＳ７８においてカルテ情報を読み込まないが選択された場合は(Ｓ７８でＮｏ)、上記紹介状入力テンプレートの使用するか否かを選択させる(Ｓ８２)。使用しないのであれば(Ｓ８２でＮｏ)、例えばキーボードで所望の紹介状情報を入力させてそれを該当する文章入力用シートに設定し(Ｓ８３)、使用するのであれば(Ｓ８２でＹｅｓ)、該当する項目において紹介状入力テンプレートを使用できるか否かを確認する(Ｓ８４)。使用できるのであれば(Ｓ８４でＹｅｓ)、上記該当する項目のテンプレート文章を病院データベース１から取得して一覧リスト(例えば、図２０に示すテンプレート選択シート１５９)を作成し(Ｓ８５)、それを表示する(Ｓ８６)。そして、医師所望のテンプレートが選択されたら(Ｓ８７)、それを文章入力用シートに設定する(Ｓ８８)。
【００８９】
上記ステップＳ７７において、文章編集を終了するのであれば(Ｓ７７でＹｅｓ)、現在編集している項目([紹介目的]、[紹介事由]など)はテンプレートに追加可能か否かを確認し(Ｓ８９)、それが可能でない場合には(Ｓ８９でＮｏ)、入力された文章を紹介状イメージ１５１に表示する(Ｓ９０)。それが可能である場合には(Ｓ８９でＹｅｓ)、入力された文章は既にテンプレートとして登録済みか否かを確認し(Ｓ９１)、登録済みでなければ(Ｓ９１でＮｏ)、上記入力された文章をテンプレートとして登録する(Ｓ９２)。尚、入力された文章をテンプレートとして登録する否かは、医師が自由に選択することもできる。
【００９０】
以上が、上記ステップＳ７３で行なわれる文章編集における動作である。この動作を終えたら、上述したように、ステップＳ７４及びステップＳ７５の動作を行い、紹介状情報入力を終了するのであれば(Ｓ７５でＹｅｓ)、この紹介状情報入力における処理を終わりにし、紹介状送信(上記ステップＳ５６)における処理を行う。
【００９１】
次に、図２５を参照して、ステップＳ５６の紹介状送信で病院コンピュータが行う処理動作を説明する。
【００９２】
病院コンピュータは、医師の指示に応じて、カルテ情報や紹介状の内容をＭＭＬ(Medical Mark-up Language)形式のデータに変換し(ステップＳ９３)、そのＭＭＬ形式のデータを例えばテキスト形式のファイルで保存して(Ｓ９４)、医師に送信方法を選択させる(Ｓ９５)。例えばＦａｘ送信が選択された場合には(Ｓ９６でＹｅｓ)、紹介状データをイメージ形式に変換してＦａｘで送信し(Ｓ９７)、リッチテキスト形式で送信が選択された場合には(Ｓ９８でＹｅｓ)、上記ＭＭＬ形式のデータをリッチテキスト形式に変換し(Ｓ９９)、医師に、画像(例えば、ビットマップ形式のＸ線画像)を添付するか否かを選択させる(Ｓ１００)。添付するのであれば(Ｓ１００でＹｅｓ)、添付可能な画像を一覧表示し(Ｓ１０１)、医師に所望の画像を選択させて(Ｓ１０２)、ＭＭＬ(又はリッチテキストファイル、画像は添付形式)でメール送信する(Ｓ１０３)。
【００９３】
以上が、医師が病院コンピュータを利用して紹介状を作成する場合の実施例である。
【００９４】
上述した各実施例において、医師は、上記液晶ペン(又はマウス)で手書きで文字入力することができ、病院コンピュータは、手書き入力された文字がどんな文字であるかを認識する、いわゆる文字認識をすることができる。病院コンピュータは、テキスト入力エリア(例えば、図５に示すコメント入力プレートや、図２０に示す紹介目的入力シート１５７)にカルテ情報の入力が選択されときは、医師に、手書き入力するか否かを選択させる。手書き入力が選択されたら、手書き文字入力シートを表示する。
【００９５】
図２６は、手書き文字入力シートの一例を示す。
【００９６】
病院コンピュータは、このシート上の所定のマス目に液晶ペンで手書きで文字入力させ、随時に又は医師が文字入力を終了した時に、入力された文字を認識し、認識結果を表示する。そして、医師に了解が得られれば、文字認識した結果を、上記選択されたテキスト入力エリアに展開する。病院コンピュータは、ひらがな、かたかな、数字、漢字、アルファベットなど種々の文字を認識することができる。
【００９７】
以上、本発明の好適な幾つかの実施形態を説明したが、これらは本発明の説明のための例示であって、本発明の範囲をこれらの実施例にのみ限定する趣旨ではない。本発明は、他の種々の形態でも実施することが可能である。例えば、上述した病院データベース１にはマスター・トランザクション処理を行なわせるようにし、上記各種情報を効率的に管理するようにすることができる。
【図面の簡単な説明】
【００９８】
【図１】病院コンピュータが診察中に行なう処理動作の流れを示すフローチャート。
【図２】カルテメインページの一例を示す図。
【図３】傷病名入力シートの一例を示す図。
【図４】初診用所見入力シートを表示する場合の病院コンピュータの動作を示すフローチャート。
【図５】初診用所見入力シートの一例を示す図。
【図６】再診用所見入力シートを表示する場合の病院コンピュータの動作を示すフローチャート。
【図７】再診用所見入力シートの一例を示す図。
【図８】患部図が入力される場合の病院コンピュータの処理動作を示すフローチャート。
【図９】雛型一覧リストの一例を示す図。
【図１０】患部図記入シートの一例を示す図。
【図１１】診療行為を入力する場合の病院コンピュータの動作を示すフローチャート。
【図１２】診療行為入力シートの一例を示す図。
【図１３】診療行為シートの構成を詳細に示す図。
【図１４】診療行為シートの構成概念図。
【図１５】ＤＯ入力後の診療行為シートの図。
【図１６】ＤＯ入力シートを作成する場合の病院コンピュータの動作を示すフローチャート。
【図１７】ＤＯ入力シートの一例を示す図。
【図１８】紹介状が作成される場合の病院コンピュータの一連動作の概略を示すフローチャート。
【図１９】紹介状作成ページの一例を示す図。
【図２０】紹介目的を入力する場合の様子を示す図。
【図２１】紹介先医療機関選択で行なわれる処理動作を示すフローチャート。
【図２２】紹介状作成ページ表示で行われる処理動作を示すフローチャート。
【図２３】紹介状情報入力で行われる処理動作を示すフローチャート。
【図２４】文章編集で行なわれる処理動作の一例を詳細に示すフローチャート。
【図２５】紹介状送信で行なわれる処理動作を示すフローチャート。
【図２６】手書き文字入力シートの一例を示す図。
【符号の説明】
【００９９】
１    病院データベース
１３  ＤＯ入力ボタン
２３  所見シート
２３'  所見シートのタイトルバー
２５  診療行為シート
２５'  診療行為シートのタイトルバー
２７  患部図シート
２７ａ、２７ｂ  記入済み患部図表示エリア
２７ｃ  患部図表示無しエリア
１００  ＤＯ入力シート
１２１ａ、１２１ｂ  チェックボックス
【図１】
2004213678.tif 000003
【図２】
2004213678.tif 000004
【図３】
2004213678.tif 000005
【図４】
2004213678.tif 000006
【図５】
2004213678.tif 000007
【図６】
2004213678.tif 000008
【図７】
2004213678.tif 000009
【図８】
2004213678.tif 000010
【図９】
2004213678.tif 000011
【図１０】
2004213678.tif 000012
【図１１】
2004213678.tif 000013
【図１２】
2004213678.tif 000014
【図１３】
2004213678.tif 000015
【図１４】
2004213678.tif 000016
【図１５】
2004213678.tif 000017
【図１６】
2004213678.tif 000018
【図１７】
2004213678.tif 000019
【図１８】
2004213678.tif 000020
【図１９】
2004213678.tif 000021
【図２０】
2004213678.tif 000022
【図２１】
2004213678.tif 000023
【図２２】
2004213678.tif 000024
【図２３】
2004213678.tif 000025
【図２４】
2004213678.tif 000026
【図２５】
2004213678.tif 000027
【図２６】
2004213678.tif 000028